(57)【要約】【課題】簡易な構成で物品の温度履歴情報を取得可能とした物品温度管理装置、物品温度管理システム、および、物品温度履歴情報作成方法を提供すること。【解決手段】物品ＩＤを記録したタグ３０を物品１０に付し、管理装置２０の情報処理部２４が、管理対象の物品１０のタグ３０から読み取られた管理対象物品ＩＤに対応させて、物品ＩＤごとの搬送履歴を場所ＩＤと対応づけた搬送履歴情報を記憶する搬送履歴情報ＤＢ７３と、複数の場所の各々における場所温度の時間的な変化を各場所の場所ＩＤと対応づけた温度履歴情報を記憶する場所温度履歴情報ＤＢ７４とから取得した情報をもとに、管理対象物品ＩＤに対応する物品１０の温度履歴情報を作成する。【選択図】図１
2015202918.tif 000002
【特許請求の範囲】
【請求項１】
物品ＩＤを記録する識別媒体を付した状態で場所ＩＤがそれぞれ付された複数の場所を経由して搬送される物品の温度を管理する物品温度管理装置であって、
前記物品ＩＤごとの搬送履歴を前記場所ＩＤと対応づけた搬送履歴情報を記憶する搬送履歴情報記憶部、および、前記複数の場所の各々における場所温度の時間的な変化を各場所の場所ＩＤと対応づけた場所温度履歴情報を記憶する場所温度履歴情報記憶部とそれぞれ通信可能に接続される通信処理部と、
管理対象物品の物品ＩＤである管理対象物品ＩＤの前記搬送履歴情報を、前記通信処理部を介して前記搬送履歴情報記憶部から取得する搬送履歴取得部と、
前記搬送履歴取得部が取得した前記搬送履歴情報に含まれる場所ＩＤの場所温度履歴情報を、前記通信処理部を介して前記場所温度履歴情報記憶部から取得する場所温度履歴取得部と、
前記場所温度履歴取得部が取得した場所温度履歴情報に基づいて前記管理対象物品の搬送時の温度履歴を与える物品温度履歴情報を作成する物品温度履歴作成部と、
を備えたことを特徴とする物品温度管理装置。
【請求項２】
前記通信処理部は、前記物品ＩＤごとに、前記物品が搬送時に積載される物流資材への積載履歴を、前記物流資材の物流資材ＩＤと対応付けた積載履歴情報を記憶する積載履歴情報記憶部と通信可能に接続され、
前記搬送履歴取得部は、前記通信処理部を介して、前記積載履歴情報記憶部から前記管理対象物品ＩＤの積載履歴情報を取得し、前記管理対象物品ＩＤに対応する搬送履歴情報を前記搬送履歴情報記憶部から取得するとともに、取得した前記積載履歴情報をもとに前記管理対象物品ＩＤに対応する前記物流資材ＩＤの搬送履歴情報を前記管理対象物品ＩＤに対応する搬送履歴情報とみなして、前記管理対象物品が搬送された各場所の前記場所ＩＤと各場所の搬送期間とを求めることを特徴とする請求項１に記載の物品温度管理装置。
【請求項３】
前記通信処理部は、前記物品ＩＤと該物品ＩＤに対応する前記物品の保存温度範囲とを対応付けて記憶する物品情報記憶部と通信可能に接続され、
前記通信処理部を介して前記物品情報記憶部から前記管理対象物品ＩＤに対応する保存温度範囲を取得し、前記物品温度履歴作成部によって作成された前記管理対象物品の温度履歴情報をもとに、前記管理対象物品の温度が前記取得した保存温度範囲を超えている場合には、該物品に温度異常があったことを検出する異常検出部をさらに備えたことを特徴とする請求項１または２に記載の物品温度管理装置。
【請求項４】
前記通信処理部は、前記場所ＩＤと該場所ＩＤに対応する場所の管理温度範囲とを対応付けて記憶する場所情報記憶部と通信可能に接続され、
前記異常検出部によって前記管理対象物品に温度異常があったことが検出された場合、前記物品温度履歴作成部によって作成された前記管理対象物品の温度履歴情報と前記搬送履歴情報記憶部に記憶された情報とをもとに温度異常を検出した場所の前記場所ＩＤである異常場所ＩＤを取得し、前記通信処理部を介して、前記場所情報記憶部から前記異常場所ＩＤに対応する管理温度範囲を取得し、前記場所温度履歴情報記憶部を参照して前記異常場所ＩＤに対応する温度履歴情報のうち前記管理温度範囲外である期間を特定し、該特定した管理温度範囲外である期間中に前記異常場所ＩＤに対応する場所に搬送された物品の物品ＩＤを、前記搬送履歴情報記憶部から、温度異常があった物品の物品ＩＤとして抽出する異常物品抽出部をさらに備えたことを特徴とする請求項３に記載の物品温度管理装置。
【請求項５】
前記通信処理部は、ネットワークを介して、前記場所に対応して設けられ、前記場所における情報を管理するサーバと通信可能であり、前記場所のサーバから該場所に設けられた温度センサが測定した前記場所温度と該場所温度の測定日時と前記温度センサが設けられた前記場所の場所ＩＤとを温度情報として受信し、
前記通信処理部が受信した温度情報をもとに、該受信した温度情報に含まれる前記場所ＩＤと前記場所温度と該場所温度の測定日時を示す時間情報とを対応付けて前記場所温度履歴情報記憶部に記録する記録制御部をさらに備えたことを特徴とする請求項１〜４のいずれか一つに記載の物品温度管理装置。
【請求項６】
前記通信処理部は、前記場所の入口および出口に設けられた読取装置によって読み取られた前記物品の前記物品ＩＤと、該物品ＩＤを前記読取装置が読み取った日時を示す時間情報と、前記読取装置が設けられた前記場所の場所ＩＤとを前記場所のサーバから読取情報として受信し、
前記記録制御部は、前記通信処理部が受信した読取情報をもとに、前記読取情報に含まれる前記場所ＩＤと前記物品ＩＤと該物品ＩＤの搬入日時または搬出日時を示す時間情報とを対応付けて前記搬送履歴情報記憶部に記録することを特徴とする請求項５に記載の物品温度管理装置。
【請求項７】
場所ＩＤがそれぞれ付された複数の場所を経由して搬送される物品に付され、所定の装置で読み取り可能である物品ＩＤが記録された識別媒体と、
前記物品に付された前記識別媒体の前記物品ＩＤを読み取る読取装置であって、各場所の入口および出口に設けられた読取装置と、
前記場所に設けられ、該場所の温度を検出する温度センサと、
前記物品ＩＤごとの搬送履歴を前記場所ＩＤと対応づけた搬送履歴情報を記憶する搬送履歴情報記憶部と、
前記複数の場所の各々における場所温度の時間的な変化を各場所の場所ＩＤと対応づけた場所温度履歴情報を記憶する場所温度履歴情報記憶部と、
前記場所に設けられた温度センサによる測定結果をもとに前記場所温度履歴情報記憶部に前記場所温度履歴情報を記録し、前記読取装置による読取情報をもとに前記搬送履歴情報記憶部に前記搬送履歴情報を記録する記録制御装置と、
前記複数の場所を経由して搬送される物品の温度を管理する物品温度管理装置と、
を備えた物品温度管理システムであって、
前記物品温度管理装置は、
前記搬送履歴情報記憶部と前記場所温度履歴情報記憶部とそれぞれ通信可能に接続される通信処理部と、
管理対象物品の物品ＩＤである管理対象物品ＩＤの前記搬送履歴情報を、前記通信処理部を介して前記搬送履歴情報記憶部から取得する搬送履歴取得部と、
前記搬送履歴取得部が取得した前記搬送履歴情報に含まれる場所ＩＤの場所温度履歴情報を、前記通信処理部を介して前記場所温度履歴情報記憶部から取得する場所温度履歴取得部と、
前記場所温度履歴取得部が取得した場所温度履歴情報に基づいて前記管理対象物品の搬送時の温度履歴を与える物品温度履歴情報を作成する物品温度履歴作成部と、
を有することを特徴とする物品温度管理システム。
【請求項８】
前記物品ＩＤごとに、前記物品が搬送時に積載される物流資材への積載履歴を、前記物流資材の物流資材ＩＤと対応付けた積載履歴情報を記憶する積載履歴情報記憶部をさらに備え、
前記通信処理部は、前記積載履歴情報記憶部と通信可能に接続され、
前記搬送履歴取得部は、前記通信処理部を介して、前記積載履歴情報記憶部から前記管理対象物品ＩＤの積載履歴情報を取得し、前記管理対象物品ＩＤに対応する搬送履歴情報を前記搬送履歴情報記憶部から取得するとともに、取得した前記積載履歴情報をもとに前記管理対象物品ＩＤに対応する前記物流資材ＩＤの搬送履歴情報を前記管理対象物品ＩＤに対応する搬送履歴情報とみなして、前記管理対象物品が搬送された各場所の前記場所ＩＤと各場所の搬送期間とを求めることを特徴とする請求項７に記載の物品温度管理システム。
【請求項９】
前記物品ＩＤと該物品ＩＤに対応する前記物品の保存温度範囲とを対応付けて記憶する物品情報記憶部をさらに備え、
前記通信処理部は、前記物品情報記憶部と通信可能に接続され、
前記物品温度管理装置は、
前記通信処理部を介して前記物品情報記憶部から前記管理対象物品ＩＤに対応する保存温度範囲を取得し、前記物品温度履歴作成部によって作成された前記管理対象物品の温度履歴情報をもとに、前記管理対象物品の温度が前記取得した保存温度範囲を超えている場合には、該物品に温度異常があったことを検出する異常検出部をさらに備えたことを特徴とする請求項７または８に記載の物品温度管理システム。
【請求項１０】
前記場所ＩＤと該場所ＩＤに対応する場所の管理温度範囲とを対応付けて記憶する場所情報記憶部をさらに備え、
前記通信処理部は、前記場所情報記憶部と通信可能に接続され、
前記物品温度管理装置は、
前記異常検出部によって前記管理対象物品に温度異常があったことが検出された場合、前記物品温度履歴作成部によって作成された前記管理対象物品の温度履歴情報と前記搬送履歴情報記憶部に記憶された搬送履歴情報とをもとに温度異常を検出した場所の前記場所ＩＤである異常場所ＩＤを取得し、前記通信処理部を介して、前記場所情報記憶部から前記異常場所ＩＤに対応する管理温度範囲を取得し、前記場所温度履歴情報記憶部を参照して前記異常場所ＩＤに対応する温度履歴情報のうち前記管理温度範囲外である期間を特定し、該特定した管理温度範囲外である期間中に前記異常場所ＩＤに対応する場所に搬送された物品の物品ＩＤを、前記搬送履歴情報記憶部から、温度異常があった物品の物品ＩＤとして抽出する異常物品抽出部をさらに備えたことを特徴とする請求項９に記載の物品温度管理システム。
【請求項１１】
物品ＩＤを記録する識別媒体を付けた状態で場所ＩＤがそれぞれ付された複数の場所を経由して搬送される物品の温度を管理する物品温度管理装置が、前記物品の温度履歴情報を作成する物品温度履歴情報作成方法であって、
管理対象物品の物品ＩＤである管理対象物品ＩＤが入力される入力処理と、
前記物品ＩＤごとの搬送履歴を前記場所ＩＤと対応づけた搬送履歴情報を記憶する搬送履歴情報記憶部から、前記管理対象物品ＩＤの前記搬送履歴情報を取得する搬送履歴取得処理と、
前記複数の場所の各々における場所温度の時間的な変化を各場所の場所ＩＤと対応づけた場所温度履歴情報を記憶する場所温度履歴情報記憶部から、前記搬送履歴情報取得処理において取得した前記搬送履歴情報に含まれる場所ＩＤの場所温度履歴情報を取得する場所温度履歴取得処理と、
前記場所温度履歴取得処理において取得した場所温度履歴情報に基づいて前記管理対象物品の搬送時の温度履歴を与える物品温度履歴情報を作成する物品温度履歴情報作成処理と、
を含むことを特徴とする物品温度履歴情報作成方法。
【発明の詳細な説明】
【技術分野】
【０００１】
本発明は、物品の温度を管理する物品温度管理装置、物品温度管理システム、および、物品温度履歴情報作成方法に関する。
【背景技術】
【０００２】
従来、物品の流通履歴を、物品に付された無線タグに直接書き込むことによって、流通過程における物品管理を行う物品管理システムが使用されている（たとえば、特許文献１参照）。このような物品管理システムのうち食品や薬品を管理する管理システムでは、各施設に施設内部の温度を測定する温度センサを設置し、物品に付された無線タグから読み出した流通経路と各温度センサの測定結果とをもとに、物品の温度履歴情報を取得することによって物品の温度管理を行なっている。
【先行技術文献】
【特許文献】
【０００３】
【特許文献１】特開２００４−２９９８２７号公報
【発明の概要】
【発明が解決しようとする課題】
【０００４】
特許文献１記載の方法では、流通経路をメモリに書き込むことができる複雑な構造の無線タグを識別媒体として使用する必要がある。また、物品の温度状態を把握するには物品ごとに流通経路を読み取る必要がある。しかしながら、近年では、管理コスト低減のために、さらに簡易な構成の識別媒体を用いて、さらに容易に物品の温度履歴情報を取得できる管理システムが求められている。
【０００５】
本発明は、上記に鑑みてなされたものであって、簡易な構成で物品の温度履歴情報を取得可能とした物品温度管理装置、物品温度管理システム、および、物品温度履歴情報作成方法を提供することを目的とする。
【課題を解決するための手段】
【０００６】
上述した課題を解決し、目的を達成するために、本発明にかかる物品温度管理装置は、物品ＩＤを記録する識別媒体を付した状態で場所ＩＤがそれぞれ付された複数の場所を経由して搬送される物品の温度を管理する物品温度管理装置であって、前記物品ＩＤごとの搬送履歴を前記場所ＩＤと対応づけた搬送履歴情報を記憶する搬送履歴情報記憶部、および、前記複数の場所の各々における場所温度の時間的な変化を各場所の場所ＩＤと対応づけた場所温度履歴情報を記憶する場所温度履歴情報記憶部とそれぞれ通信可能に接続される通信処理部と、管理対象物品の物品ＩＤである管理対象物品ＩＤの前記搬送履歴情報を、前記通信処理部を介して前記搬送履歴情報記憶部から取得する搬送履歴取得部と、前記搬送履歴取得部が取得した前記搬送履歴情報に含まれる場所ＩＤの場所温度履歴情報を、前記通信処理部を介して前記場所温度履歴情報記憶部から取得する場所温度履歴取得部と、前記場所温度履歴取得部が取得した場所温度履歴情報に基づいて前記管理対象物品の搬送時の温度履歴を与える物品温度履歴情報を作成する物品温度履歴作成部と、を備えたことを特徴とする。
【０００７】
また、本発明にかかる物品温度管理装置は、前記通信処理部は、前記物品ＩＤごとに、前記物品が搬送時に積載される物流資材への積載履歴を、前記物流資材の物流資材ＩＤと対応付けた積載履歴情報を記憶する積載履歴情報記憶部と通信可能に接続され、前記搬送履歴取得部は、前記通信処理部を介して、前記積載履歴情報記憶部から前記管理対象物品ＩＤの積載履歴情報を取得し、前記管理対象物品ＩＤに対応する搬送履歴情報を前記搬送履歴情報記憶部から取得するとともに、取得した前記積載履歴情報をもとに前記管理対象物品ＩＤに対応する前記物流資材ＩＤの搬送履歴情報を前記管理対象物品ＩＤに対応する搬送履歴情報とみなして、前記管理対象物品が搬送された各場所の前記場所ＩＤと各場所の搬送期間とを求めることを特徴とする。
【０００８】
また、本発明にかかる物品温度管理装置は、前記通信処理部は、前記物品ＩＤと該物品ＩＤに対応する前記物品の保存温度範囲とを対応付けて記憶する物品情報記憶部と通信可能に接続され、前記通信処理部を介して前記物品情報記憶部から前記管理対象物品ＩＤに対応する保存温度範囲を取得し、前記物品温度履歴作成部によって作成された前記管理対象物品の温度履歴情報をもとに、前記管理対象物品の温度が前記取得した保存温度範囲を超えている場合には、該物品に温度異常があったことを検出する異常検出部をさらに備えたことを特徴とする。
【０００９】
また、本発明にかかる物品温度管理装置は、前記通信処理部は、前記場所ＩＤと該場所ＩＤに対応する場所の管理温度範囲とを対応付けて記憶する場所情報記憶部と通信可能に接続され、前記異常検出部によって前記管理対象物品に温度異常があったことが検出された場合、前記物品温度履歴作成部によって作成された前記管理対象物品の温度履歴情報と前記搬送履歴情報記憶部に記憶された情報とをもとに温度異常を検出した場所の前記場所ＩＤである異常場所ＩＤを取得し、前記通信処理部を介して、前記場所情報記憶部から前記異常場所ＩＤに対応する管理温度範囲を取得し、前記場所温度履歴情報記憶部を参照して前記異常場所ＩＤに対応する温度履歴情報のうち前記管理温度範囲外である期間を特定し、該特定した管理温度範囲外である期間中に前記異常場所ＩＤに対応する場所に搬送された物品の物品ＩＤを、前記搬送履歴情報記憶部から、温度異常があった物品の物品ＩＤとして抽出する異常物品抽出部をさらに備えたことを特徴とする。
【００１０】
また、本発明にかかる物品温度管理装置は、前記通信処理部は、ネットワークを介して、前記場所に対応して設けられ、前記場所における情報を管理するサーバと通信可能であり、前記場所のサーバから該場所に設けられた温度センサが測定した前記場所温度と該場所温度の測定日時と前記温度センサが設けられた前記場所の場所ＩＤとを温度情報として受信し、前記通信処理部が受信した温度情報をもとに、該受信した温度情報に含まれる前記場所ＩＤと前記場所温度と該場所温度の測定日時を示す時間情報とを対応付けて前記場所温度履歴情報記憶部に記録する記録制御部をさらに備えたことを特徴とする。
【００１１】
また、本発明にかかる物品温度管理装置は、前記通信処理部は、前記場所の入口および出口に設けられた読取装置によって読み取られた前記物品の前記物品ＩＤと、該物品ＩＤを前記読取装置が読み取った日時を示す時間情報と、前記読取装置が設けられた前記場所の場所ＩＤとを前記場所のサーバから読取情報として受信し、前記記録制御部は、前記通信処理部が受信した読取情報をもとに、前記読取情報に含まれる前記場所ＩＤと前記物品ＩＤと該物品ＩＤの搬入日時または搬出日時を示す時間情報とを対応付けて前記搬送履歴情報記憶部に記録することを特徴とする。
【００１２】
また、本発明にかかる物品温度管理システムは、場所ＩＤがそれぞれ付された複数の場所を経由して搬送される物品に付され、所定の装置で読み取り可能である物品ＩＤが記録された識別媒体と、前記物品に付された前記識別媒体の前記物品ＩＤを読み取る読取装置であって、各場所の入口および出口に設けられた読取装置と、前記場所に設けられ、該場所の温度を検出する温度センサと、前記物品ＩＤごとの搬送履歴を前記場所ＩＤと対応づけた搬送履歴情報を記憶する搬送履歴情報記憶部と、前記複数の場所の各々における場所温度の時間的な変化を各場所の場所ＩＤと対応づけた場所温度履歴情報を記憶する場所温度履歴情報記憶部と、前記場所に設けられた温度センサによる測定結果をもとに前記場所温度履歴情報記憶部に前記場所温度履歴情報を記録し、前記読取装置による読取情報をもとに前記搬送履歴情報記憶部に前記搬送履歴情報を記録する記録制御装置と、前記複数の場所を経由して搬送される物品の温度を管理する物品温度管理装置と、を備えた物品温度管理システムであって、前記物品温度管理装置は、前記搬送履歴情報記憶部と前記場所温度履歴情報記憶部とそれぞれ通信可能に接続される通信処理部と、管理対象物品の物品ＩＤである管理対象物品ＩＤの前記搬送履歴情報を、前記通信処理部を介して前記搬送履歴情報記憶部から取得する搬送履歴取得部と、前記搬送履歴取得部が取得した前記搬送履歴情報に含まれる場所ＩＤの場所温度履歴情報を、前記通信処理部を介して前記場所温度履歴情報記憶部から取得する場所温度履歴取得部と、前記場所温度履歴取得部が取得した場所温度履歴情報に基づいて前記管理対象物品の搬送時の温度履歴を与える物品温度履歴情報を作成する物品温度履歴作成部と、を有することを特徴とする。
【００１３】
また、本発明にかかる物品温度管理システムは、前記物品ＩＤごとに、前記物品が搬送時に積載される物流資材への積載履歴を、前記物流資材の物流資材ＩＤと対応付けた積載履歴情報を記憶する積載履歴情報記憶部をさらに備え、前記通信処理部は、前記積載履歴情報記憶部と通信可能に接続され、前記搬送履歴取得部は、前記通信処理部を介して、前記積載履歴情報記憶部から前記管理対象物品ＩＤの積載履歴情報を取得し、前記管理対象物品ＩＤに対応する搬送履歴情報を前記搬送履歴情報記憶部から取得するとともに、取得した前記積載履歴情報をもとに前記管理対象物品ＩＤに対応する前記物流資材ＩＤの搬送履歴情報を前記管理対象物品ＩＤに対応する搬送履歴情報とみなして、前記管理対象物品が搬送された各場所の前記場所ＩＤと各場所の搬送期間とを求めることを特徴とする。
【００１４】
また、本発明にかかる物品温度管理システムは、前記物品ＩＤと該物品ＩＤに対応する前記物品の保存温度範囲とを対応付けて記憶する物品情報記憶部をさらに備え、前記通信処理部は、前記物品情報記憶部と通信可能に接続され、前記物品温度管理装置は、前記通信処理部を介して前記物品情報記憶部から前記管理対象物品ＩＤに対応する保存温度範囲を取得し、前記物品温度履歴作成部によって作成された前記管理対象物品の温度履歴情報をもとに、前記管理対象物品の温度が前記取得した保存温度範囲を超えている場合には、該物品に温度異常があったことを検出する異常検出部をさらに備えたことを特徴とする。
【００１５】
また、本発明にかかる物品温度管理システムは、前記場所ＩＤと該場所ＩＤに対応する場所の管理温度範囲とを対応付けて記憶する場所情報記憶部をさらに備え、前記通信処理部は、前記場所情報記憶部と通信可能に接続され、前記物品温度管理装置は、前記異常検出部によって前記管理対象物品に温度異常があったことが検出された場合、前記物品温度履歴作成部によって作成された前記管理対象物品の温度履歴情報と前記搬送履歴情報記憶部に記憶された搬送履歴情報とをもとに温度異常を検出した場所の前記場所ＩＤである異常場所ＩＤを取得し、前記通信処理部を介して、前記場所情報記憶部から前記異常場所ＩＤに対応する管理温度範囲を取得し、前記場所温度履歴情報記憶部を参照して前記異常場所ＩＤに対応する温度履歴情報のうち前記管理温度範囲外である期間を特定し、該特定した管理温度範囲外である期間中に前記異常場所ＩＤに対応する場所に搬送された物品の物品ＩＤを、前記搬送履歴情報記憶部から、温度異常があった物品の物品ＩＤとして抽出する異常物品抽出部をさらに備えたことを特徴とする。
【００１６】
また、本発明にかかる物品温度履歴情報作成方法は、物品ＩＤを記録する識別媒体を付けた状態で場所ＩＤがそれぞれ付された複数の場所を経由して搬送される物品の温度を管理する物品温度管理装置が、前記物品の温度履歴情報を作成する物品温度履歴情報作成方法であって、管理対象物品の物品ＩＤである管理対象物品ＩＤが入力される入力処理と、前記物品ＩＤごとの搬送履歴を前記場所ＩＤと対応づけた搬送履歴情報を記憶する搬送履歴情報記憶部から、前記管理対象物品ＩＤの前記搬送履歴情報を取得する搬送履歴取得処理と、前記複数の場所の各々における場所温度の時間的な変化を各場所の場所ＩＤと対応づけた場所温度履歴情報を記憶する場所温度履歴情報記憶部から、前記搬送履歴情報取得処理において取得した前記搬送履歴情報に含まれる場所ＩＤの場所温度履歴情報を取得する場所温度履歴取得処理と、前記場所温度履歴取得処理において取得した場所温度履歴情報に基づいて前記管理対象物品の搬送時の温度履歴を与える物品温度履歴情報を作成する物品温度履歴情報作成処理と、を含むことを特徴とする。
【発明の効果】
【００１７】
本発明によれば、物品ＩＤを記録しただけの識別媒体を物品に付して、管理対象物品ＩＤに対応させて、物品ＩＤごとの搬送履歴を場所ＩＤと対応づけた搬送履歴情報を記憶する搬送履歴情報記憶部と、複数の場所の各々における場所温度の時間的な変化を各場所の場所ＩＤと対応づけた場所温度履歴情報を記憶する場所温度履歴情報記憶部と、から取得した情報をもとに、管理対象物品の温度履歴情報を作成するため、簡易な構成で物品の温度履歴情報を取得することができる。また、物品の温度状態を容易に把握することができる。
【図面の簡単な説明】
【００１８】
【図１】図１は、本発明の実施の形態１にかかる物品温度管理システムの構成の一例を示すブロック図である。
【図２】図２は、図１に示す物品情報ＤＢに記憶されるテーブルの一例を示す図である。
【図３】図３は、図１に示す場所情報ＤＢに記憶されるテーブルの一例を示す図である。
【図４】図４は、図１に示す搬送履歴情報ＤＢに記憶されるテーブルの一例を示す図である。
【図５】図５は、図１に示す場所温度履歴情報ＤＢに記憶されるテーブルの一例を示す図である。
【図６】図６は、図１に示す物品温度管理システムにおける管理対象の物品の搬送処理の一例を説明する模式図である。
【図７】図７は、図１に示す管理装置による搬送履歴情報ＤＢへの搬入情報記録処理の処理手順を示すフローチャートである。
【図８】図８は、図１に示す管理装置による搬送履歴情報ＤＢへの搬出情報記録処理の処理手順を示すフローチャートである。
【図９】図９は、図１に示す管理装置による場所温度履歴情報ＤＢへの場所温度情報記録処理の処理手順を示すフローチャートである。
【図１０】図１０は、図１に示す管理装置の情報処理部による物品の温度履歴情報作成処理の処理手順を示すフローチャートである。
【図１１】図１１は、図１に示す管理装置、端末装置および各ＤＢへの接続を説明する図である。
【図１２】図１２は、図１に示す搬送履歴取得部による管理対象物品ＩＤの搬送履歴の取得処理を説明する図である。
【図１３】図１３は、図１に示す場所温度履歴取得部による温度履歴情報の作成処理を説明する図である。
【図１４】図１４は、図１に示す場所温度履歴取得部による温度履歴情報の作成処理を説明する図である。
【図１５】図１５は、図１に示す搬送履歴情報ＤＢに記憶されるテーブルの他の例を示す図である。
【図１６】図１６は、図１に示す場所温度履歴情報ＤＢに記憶されるテーブルの他の例を示す図である。
【図１７】図１７は、実施の形態１の変形例にかかる物品温度管理システムの構成の一例を示すブロック図である。
【図１８】図１８は、図１７に示す物流資材情報ＤＢに記憶されるテーブルの一例を示す図である。
【図１９】図１９は、図１７に示す積載履歴情報ＤＢに記憶されるテーブルの一例を示す図である。
【図２０】図２０は、図１７に示す物品温度管理システムにおける管理対象の物品の搬送処理の一例を説明する模式図である。
【図２１】図２１は、図１７に示す管理装置による積載履歴情報ＤＢへの積載情報記録処理の処理手順を示すフローチャートである。
【図２２】図２２は、図１７に示す管理装置による積載履歴情報ＤＢへの荷卸し情報記録処理の処理手順を示すフローチャートである。
【図２３】図２３は、図１７に示す管理装置の情報処理部による物品の温度履歴情報作成処理の処理手順を示すフローチャートである。
【図２４】図２４は、温度履歴作成対象の物品の物流資材への積載期間の一例を示す図である。
【図２５】図２５は、図１７に示す搬送履歴取得部による管理対象物品ＩＤの搬送履歴の取得処理を説明する図である。
【図２６】図２６は、図１７に示す積載履歴情報ＤＢに記憶されるテーブルの他の例を示す図である。
【図２７】図２７は、実施の形態２にかかる物品温度管理システムの構成の一例を示すブロック図である。
【図２８】図２８は、図２７に示す管理装置の情報処理部による物品の温度履歴情報作成処理の処理手順を示すフローチャートである。
【図２９】図２９は、実施の形態３にかかる物品温度管理システムの構成の一例を示すブロック図である。
【図３０】図３０は、図２９に示す管理装置の情報処理部による物品の温度履歴情報作成処理の処理手順を示すフローチャートである。
【図３１】図３１は、温度履歴作成対象の物品の温度が正常である場合の温度履歴情報の一例を示す図である。
【図３２】図３２は、図２９に示す異常物品抽出部による温度異常があった物品の抽出処理を説明する図である。
【図３３】図３３は、実施の形態３にかかる物品温度管理システムの構成の他の例を示すブロック図である。
【図３４】図３４は、実施の形態１にかかる物品温度管理システムの構成の他の例を示すブロック図である。
【発明を実施するための形態】
【００１９】
以下に、本発明にかかる実施の形態の一例として、物品の温度を管理するための物品温度管理装置、物品温度管理システムおよび物品温度履歴作成方法について説明する。なお、この実施の形態によりこの発明が限定されるものではない。また、図面の記載において、同一部分には同一の符号を付している。
【００２０】
（実施の形態１）
図１は、本発明の実施の形態１にかかる物品温度管理システムの構成の一例を示すブロック図である。図１に示すように、実施の形態１にかかる物品温度管理システム１は、場所ＩＤ（識別情報）がそれぞれ付された場所４１〜４４を含む複数の場所を経由して搬送される物品１０の温度を管理する管理装置２０（物品温度管理装置）と、物品１０に付されたタグ３０（識別媒体）と、各場所４１〜４４のサーバ４１Ｓ〜４４Ｓと、ゲート５１１，５１２，５２１，５２２，５３１，５３２，５４１，５４２（読取装置）と、温度センサ６１〜６４と、物品情報データベース（ＤＢ）７１（物品情報記憶部）と、場所情報ＤＢ７２（場所情報記憶部）と、搬送履歴情報ＤＢ７３（搬送履歴情報記憶部）と、場所温度履歴情報ＤＢ７４（場所温度履歴情報記憶部）と、管理対象物品である任意の物品１０の温度履歴情報の作成を指示する端末装置８０と、を備える。
【００２１】
管理装置２０は、ネットワーク９０を介して、サーバ４１Ｓ〜４４Ｓ、各ＤＢ７１〜７４および端末装置８０との間で通信処理を行う。管理装置２０は、各ＤＢ７１〜７４の情報の記録処理を行う。管理装置２０は、端末装置８０から管理対象の物品１０の温度履歴情報の作成を指示された場合には、各ＤＢ７１〜７４に記録された情報を参照、取得することによって該物品１０の温度履歴情報を作成し、作成した温度履歴情報を、ネットワーク９０を介して、端末装置８０に送信する。
【００２２】
タグ３０は、各物品１０に付され、所定の装置で読み取り可能である物品ＩＤであって、物品１０を識別する物品ＩＤを記録する。タグ３０は、たとえば、ＩＤ番号を符号化したバーコードである。
【００２３】
サーバ４１Ｓ〜４４Ｓは、各場所４１〜４４に対応して設けられる。サーバ４１Ｓ〜４４Ｓは、ネットワーク９０を介して管理装置２０と通信可能である。サーバ４１Ｓ〜４４Ｓは、各場所４１〜４４における情報を管理し、各場所４１〜４４に設置された装置から送信された情報を、管理装置２０に送信する。なお、複数の場所に対応させて１つのサーバが設けられる場合もある。
【００２４】
ゲート５１１，５１２，５２１，５２２，５３１，５３２，５４１，５４２は、場所４１〜４４の入口および出口に設けられ、物品１０に付されたタグ３０の物品ＩＤを読み取る。サーバ４１Ｓ〜４４Ｓは、ゲート５１１，５１２，５２１，５２２，５３１，５３２，５４１，５４２によって読み取られた物品の物品ＩＤと、該物品ＩＤをゲート５１１，５１２，５２１，５２２，５３１，５３２，５４１，５４２が読み取った日時を示す時間情報と、ゲート５１１，５１２，５２１，５２２，５３１，５３２，５４１，５４２が設けられた場所４１〜４４の場所ＩＤとを読取情報として管理装置２０に送信する。
【００２５】
温度センサ６１〜６４は、場所４１〜４４にそれぞれ設けられ、各場所４１〜４４の温度（場所温度）を測定する。サーバ４１Ｓ〜４４Ｓは、温度センサ６１〜６４が測定した場所温度と該場所温度の測定日時と温度センサ６１〜６４が設けられた場所４１〜４４の場所ＩＤとを場所温度情報として管理装置２０に送信する。
【００２６】
物品情報ＤＢ７１は、物品ＩＤと該物品ＩＤを記録するタグ３０が付された物品１０を示す情報と該物品１０の保存温度範囲とを対応付けたテーブル７１Ｔを記憶する。図２は、テーブル７１Ｔの一例を示す図である。テーブル７１Ｔには、図２に示すように、物品ＩＤと、該物品ＩＤを記録するタグ３０が付された物品１０の名称と、この物品１０の保存方法と、この物品１０の保存温度範囲とが対応付けられている。
【００２７】
場所情報ＤＢ７２は、場所ＩＤと該場所ＩＤに対応する場所情報と該場所の管理温度範囲とを対応付けたテーブル７２Ｔを記憶する。図３は、テーブル７２Ｔの一例を示す図である。テーブル７２Ｔには、図３に示すように、場所ＩＤと該場所ＩＤに対応する場所の名称と、この場所の管理温度範囲とが対応付けられている。
【００２８】
搬送履歴情報ＤＢ７３は、物品ＩＤごとの搬送履歴を場所ＩＤと対応づけた搬送履歴情報を記憶する。搬送履歴情報ＤＢ７３は、物品ＩＤと物品１０が搬入または搬出された場所の場所ＩＤと搬入日時または搬出日時を示すタイムスタンプ（時間情報）とを対応付けたテーブル７３Ｔを記憶する。図４は、テーブル７３Ｔの一例を示す図である。テーブル７３Ｔには、図４に示すように、タイムスタンプと、物品ＩＤと、搬入または搬出を示す搬送情報と、場所ＩＤとが対応づけられている。
【００２９】
場所温度履歴情報ＤＢ７４は、複数の場所４１〜４４の各々における場所温度の時間的な変化を各場所４１〜４４の場所ＩＤと対応づけた場所温度履歴情報を記憶する。場所温度履歴情報ＤＢ７４は、場所４１〜４４に設けられた温度センサ６１〜６４によって測定された場所温度と場所ＩＤと温度センサ６１〜６４による該場所温度の測定日時を示すタイムスタンプとを対応付けたテーブル７４Ｔを記憶する。図５は、テーブル７４Ｔの一例を示す図である。テーブル７４Ｔには、図５に示すように、タイムスタンプと、場所ＩＤと、温度とがそれぞれ対応付けられている。
【００３０】
端末装置８０は、端末装置８０の各構成部位の動作処理を制御する制御部８１と、管理対象の物品１０に付されたタグ３０の物品ＩＤを読み取る読取部８２と、端末装置８０のユーザの操作に応じた指示信号を制御部８１に入力する入力部８３と、ネットワーク９０を介して管理装置２０との間で通信する通信処理部８４と、温度履歴情報を表示出力するディスプレイを有する出力部８５と、制御部８１が実行する各種プログラムや情報を記憶するメモリ８６とを備える。端末装置８０は、読取部８２において読み取った物品ＩＤに対応する管理対象の物品１０の温度履歴情報の作成、送信を指示する指示情報を、通信処理部８４から、ネットワーク９０を介して管理装置２０に出力する。
【００３１】
管理装置２０は、制御部２１、入力部２２、通信処理部２３、情報処理部２４、出力部２５、および、記憶部２６を備える。
【００３２】
制御部２１は、各種プログラムおよびパラメータを実行して管理装置２０の各構成部位の各処理および各動作を制御する。制御部２１は、管理装置２０の各構成部位に入出力されるデータについて入出力制御を行い、また、各構成部位に対してデータに対する所定の処理を行わせる。制御部２１は、ネットワーク９０を介して接続する各ＤＢ７１〜７４に対する情報の記録を制御する記録制御部２１１を備える。
【００３３】
入力部２２は、キーボード、各種ボタン、各種スイッチ等の入力デバイスや、マウスやタッチパネル等のポインティングデバイスを含み、これらのデバイスに対するユーザの操作に応じた指示信号を制御部２１に入力する。
【００３４】
通信処理部２３は、ネットワーク９０を介して、サーバ４１Ｓ〜４４Ｓ、端末装置８０、および、各ＤＢ７１〜７４とそれぞれ通信可能に接続される。管理対象の物品１０の物品ＩＤである管理対象物品ＩＤを指定して、この管理対象物品ＩＤに対応する物品１０の温度履歴情報作成を指示する端末装置８０からの指示情報は、ネットワーク９０を介して、通信処理部２３が受信する。
【００３５】
情報処理部２４は、入力部２２および通信処理部２３を介して取得した情報を処理する。情報処理部２４は、搬送履歴取得部２４１、場所温度履歴取得部２４２および物品温度履歴作成部２４３を有する。
【００３６】
搬送履歴取得部２４１は、管理対象の物品１０の物品ＩＤである管理対象物品ＩＤの搬送履歴情報を、通信処理部２３を介して搬送履歴情報ＤＢ７３から取得する。搬送履歴取得部２４１は、管理対象物品ＩＤに対応する搬送履歴情報を搬送履歴情報ＤＢ７３のテーブル７３Ｔから取得し、管理対象の物品１０が搬送された各場所４１〜４４の場所ＩＤと各場所の搬送期間とを求める。
【００３７】
場所温度履歴取得部２４２は、搬送履歴取得部２４１が取得した搬送履歴情報に含まれる場所ＩＤの場所温度履歴情報を、通信処理部２３を介して場所温度履歴情報ＤＢ７４から取得する。場所温度履歴取得部２４２は、場所温度履歴情報ＤＢ７４のテーブル７４Ｔから、搬送履歴取得部２４１が求めた場所ＩＤに紐付く温度履歴情報を、搬送履歴取得部２４１が求めた各場所の搬送期間に応じてそれぞれ取得する。
【００３８】
物品温度履歴作成部２４３は、場所温度履歴取得部２４２が取得した場所温度履歴情報に基づいて管理対象の物品１０の搬送時の温度履歴を与える物品温度履歴情報を作成する。通信処理部２３は、物品温度履歴作成部２４３が作成した管理対象の物品１０の温度履歴情報を、ネットワーク９０を介して、端末装置８０に出力する。
【００３９】
出力部２５は、プリンタや、液晶ディスプレイまたは有機エレクトロルミネッセンスディスプレイといったディスプレイなどを有する。
【００４０】
記憶部２６は、制御部２１が実行する各種プログラムや、通信処理部２３を介して取得した情報を記憶する。
【００４１】
図６は、図１に示す物品温度管理システム１における管理対象の物品１０の搬送処理の一例を説明する模式図である。たとえば図６に示すように、物品１０は、工場Ａの製造ライン４１−１から搬出され、各保管庫（プレハブ冷蔵庫４１−２、プレハブ冷凍庫４１−３、常温保管庫４１−４）のいずれかで保管された後に、トラック（冷蔵トラック４２−１、冷凍トラック４２−２、常温トラック４２−３）のいずれかで物流センターＢに搬送され、荷捌き場４３−１で荷捌きされる。その後、物品１０は、物流センターＢの各保管庫（プレハブ冷蔵庫４３−２、プレハブ冷凍庫４３−３、常温保管庫４３−４）のいずれかで保管され、荷捌き場４３−５で荷捌きされた後に、トラック（冷蔵トラック４４−１、冷凍トラック４４−２、常温トラック４４−３）で店舗Ｃに搬送される。そして、各保管庫（プレハブ冷蔵庫４５−１、プレハブ冷凍庫４５−２、常温保管庫４５−３）のいずれかで保管されて搬送処理を終了する。工場Ａ、物流センターＢおよび店舗Ｃには、それぞれサーバ４０Ａ〜４０Ｃが設けられている。これらのサーバ４０Ａ〜４０Ｃは、図１のサーバ４１Ｓ〜４４Ｓと同じ機能を有する。各保管庫、トラックおよび荷捌き場には、図１の温度センサ６１〜６４と同じ機能を有する温度センサ６１−１〜６５−３が設けられており、温度監視がなされている。各保管庫、トラックおよび荷捌き場の入口および出口には、物品１０のタグの物品ＩＤを読み取るゲート（不図示）が設けられている。これらのゲートは、図１のゲート５１１，５１２，５２１，５２２，５３１，５３２，５４１，５４２と同じ機能を有する。物品１０が冷蔵保存を要する場合には、製造ライン４１−１から搬出された後、プレハブ冷蔵庫４１−２、冷蔵トラック４２−１、荷捌き場４３−１、プレハブ冷蔵庫４３−２、荷捌き場４３−５、冷蔵トラック４４−１およびプレハブ冷蔵庫４５−１の順で搬送される（搬送経路Ｒ１）。
【００４２】
図７は、管理装置２０による搬送履歴情報ＤＢ７３への搬入情報記録処理の処理手順を示すフローチャートである。プレハブ冷蔵庫４１−２、冷蔵トラック４２−１、荷捌き場４３−１、プレハブ冷蔵庫４３−２、荷捌き場４３−５、冷蔵トラック４４−１、プレハブ冷蔵庫４５−１への物品１０の搬入処理Ｓ０１，Ｓ０３，Ｓ０５，Ｓ０７，Ｓ０９，Ｓ１１，Ｓ１３が行われるごとに、プレハブ冷蔵庫４１−２、冷蔵トラック４２−１、荷捌き場４３−１、プレハブ冷蔵庫４３−２、荷捌き場４３−５、冷蔵トラック４４−１、プレハブ冷蔵庫４５−１の各入口に設けられたゲートが、物品１０に付されたタグ３０の物品ＩＤを読み取る。工場Ａ、物流センターＢおよび店舗Ｃのサーバ４０Ａ〜４０Ｃは、各場所の入口のゲートによって読み取られた物品１０の物品ＩＤと、該物品ＩＤを読み取った日時（搬入日時）を示す時間情報と、ゲートが設けられた保管庫、トラックまたは荷捌き場の場所ＩＤとを、搬入ゲート通過情報として管理装置２０に送信する。管理装置２０では、通信処理部２３がサーバ４０Ａ〜４０Ｃから搬入ゲート通過情報を受信すると（ステップＳ２１）、記録制御部２１１は、この搬入ゲート通過情報をもとに、物品ＩＤと場所ＩＤと搬入日時を示すタイムスタンプとを対応付けて、搬入情報として搬送履歴情報ＤＢ７３のテーブル７３Ｔに記録する（ステップＳ２２）。
【００４３】
図８は、管理装置２０による搬送履歴情報ＤＢ７３への搬出情報記録処理の処理手順を示すフローチャートである。プレハブ冷蔵庫４１−２、冷蔵トラック４２−１、荷捌き場４３−１、プレハブ冷蔵庫４３−２、荷捌き場４３−５、冷蔵トラック４４−１、プレハブ冷蔵庫４５−１からの物品１０の搬出処理Ｓ０２，Ｓ０４，Ｓ０６，Ｓ０８，Ｓ１０，Ｓ１２が行われるごとに、プレハブ冷蔵庫４１−２、冷蔵トラック４２−１、荷捌き場４３−１、プレハブ冷蔵庫４３−２、荷捌き場４３−５、冷蔵トラック４４−１、プレハブ冷蔵庫４５−１の各出口に設けられたゲートが、物品１０に付されたタグ３０の物品ＩＤを読み取る。サーバ４０Ａ〜４０Ｃは、出口のゲートによって読み取られた物品１０の物品ＩＤと、該物品ＩＤを読み取った日時（搬出日時）を示す時間情報と、ゲートが設けられた保管庫、トラックまたは荷捌き場の場所ＩＤとを、搬出ゲート通過情報として管理装置２０に送信する。管理装置２０では、通信処理部２３がサーバ４０Ａ〜４０Ｃから搬出ゲート通過情報を受信すると（ステップＳ２３）、記録制御部２１１は、この搬出ゲート通過情報をもとに、物品ＩＤと場所ＩＤと搬出日時を示すタイムスタンプとを対応付けて、搬出情報として搬送履歴情報ＤＢ７３のテーブル７３Ｔに記録する（ステップＳ２４）。この結果、図４に示すように、テーブル７３Ｔには、タイムスタンプ、物品ＩＤ、搬入または搬出を示す搬送情報、および、場所ＩＤがそれぞれ対応付けられて記録される。
【００４４】
図９は、図１に示す管理装置２０による場所温度履歴情報ＤＢ７４への場所温度情報記録処理の処理手順を示すフローチャートである。各温度センサ６１−１〜６５−３は、該温度センサ６１−１〜６５−３が設けられた保管庫、トラックまたは荷捌き場の温度（場所温度）をそれぞれ一定周期で測定する。工場Ａ、物流センターＢおよび店舗Ｃのサーバ４０Ａ〜４０Ｃは、温度センサ６１−１〜６５−３が検出した場所温度と該場所温度の測定日時と温度センサ６１−１〜６５−３が設けられた保管庫、トラックまたは荷捌き場の場所ＩＤとを、場所温度情報として管理装置２０に送信する。管理装置２０では、通信処理部２３がサーバ４０Ａ〜４０Ｃから場所温度情報を受信すると（ステップＳ２５）、記録制御部２１１は、この場所温度情報をもとに、場所ＩＤと場所温度と測定日時を示すタイムスタンプとを対応付けて場所温度履歴情報ＤＢ７４のテーブル７４Ｔに記録する（ステップＳ２６）。この結果、図５に示すように、テーブル７４Ｔには、タイムスタンプ、場所ＩＤ、および、温度がそれぞれ対応付けて記録される。
【００４５】
図１０は、管理装置２０の情報処理部２４による物品の温度履歴情報作成処理の処理手順を示すフローチャートである。図１１は、図１に示す管理装置２０、端末装置８０および各ＤＢ７１〜７４への接続を説明する図である。
【００４６】
図１０に示すように、まず、情報処理部２４には、管理対象の物品１０の物品ＩＤ（管理対象物品ＩＤ）が入力される（ステップＳ３１）。端末装置８０は、矢印Ｙ３１（図１１参照）のように、管理対象の物品１０Ａのタグ３０Ａの物品ＩＤ（物品ＩＤ：００００）を読み取り、読み取った物品ＩＤ（００００）に対応する温度履歴情報の作成・送信を指示する指示情報を、ネットワーク９０を介して管理装置２０に出力する。管理装置２０の制御部２１は、通信処理部２３が受信した端末装置８０による指示情報で指示された物品ＩＤ（００００）を、温度履歴情報の作成を指示する管理対象物品ＩＤ（００００）として情報処理部２４に入力する。
【００４７】
搬送履歴取得部２４１は、通信処理部２３を介して搬送履歴情報ＤＢ７３に接続し、矢印Ｙ３２（図１１参照）のように、管理対象物品ＩＤに紐付く搬送履歴を搬送履歴情報ＤＢ７３のテーブル７３Ｔから取得する（ステップＳ３２）。続いて、搬送履歴取得部２４１は、ステップＳ３２において取得した管理対象物品ＩＤの搬送履歴から該管理対象物品ＩＤに対応する物品１０が搬送された各搬送場所の場所ＩＤと搬送期間とを取得する（ステップＳ３３）。
【００４８】
図１２は、図１に示す搬送履歴取得部２４１による管理対象物品ＩＤの搬送履歴の取得処理を説明する図である。搬送履歴取得部２４１は、テーブル７３Ｔ（図１２（１）参照）から、矢印Ｙ３２−１０Ａのように、管理対象物品ＩＤ（００００）に対応するタイムスタンプ、搬送情報、場所ＩＤのみを抜出し、管理対象物品ＩＤ（００００）の搬送履歴テーブル７３Ｔ−１０Ａ（図１２（２）参照）を取得する。続いて、搬送履歴取得部２４１は、取得した管理対象物品ＩＤ（００００）の搬送履歴テーブル７３Ｔ−１０Ａの各場所ＩＤの搬入日時または搬出日時をもとに、管理対象物品ＩＤ（００００）に対応した搬送場所の場所ＩＤと搬送期間とを求める。搬送履歴取得部２４１は、場所ＩＤ（００１０）の搬入日時または搬出日時をもとに、矢印Ｙ３２−２のように、管理対象物品ＩＤ（００００）の場所ＩＤ（００１０）における搬送期間Ｐ２を求める（図１２（３）参照）。同様に、搬送履歴取得部２４１は、場所ＩＤ（００１１）の搬入日時または搬出日時をもとに、矢印Ｙ３２−４のように管理対象物品ＩＤ（００００）の場所ＩＤ（００１１）における搬送期間Ｐ４を求め、場所ＩＤ（００１２）の搬入日時または搬出日時をもとに、矢印Ｙ３２−６のように管理対象物品ＩＤ（００００）の場所ＩＤ（００１２）における搬送期間Ｐ６を求める。このように、搬送履歴取得部２４１は、管理対象物品ＩＤ（００００）に対応した搬送場所の場所ＩＤと搬送期間とをそれぞれ対応付けた搬送履歴Ｃ−１０Ａ（図１２（３）参照）を求める。
【００４９】
場所温度履歴取得部２４２は、通信処理部２３を介して場所温度履歴情報ＤＢ７４に接続し、矢印Ｙ３４（図１１参照）のように、場所温度履歴情報ＤＢ７４のテーブル７４Ｔから、搬送履歴取得部２４１が求めた場所ＩＤに紐付く温度履歴情報を、搬送履歴取得部２４１が求めた各場所の搬送期間に応じてそれぞれ取得する（ステップＳ３４）。物品温度履歴作成部２４３は、場所温度履歴取得部２４２がそれぞれ求めた各場所の温度履歴情報を組み合わせたものを管理対象の物品１０の温度履歴情報として作成する（ステップＳ３５）。情報処理部２４は、物品温度履歴作成部２４３が作成した管理対象の物品１０の温度履歴情報を、通信処理部２３およびネットワーク９０を介して、端末装置８０に出力し（ステップＳ３６）、管理対象の物品１０の温度履歴情報の作成を終了する。
【００５０】
ステップＳ３４およびステップＳ３５について、図１３を参照して説明する。図１３（１）は、管理対象物品ＩＤ（００００）に対応した搬送履歴を示す図である。図１３（２）は、場所ＩＤ（００１０）における温度履歴を示す図である。図１３（３）は、場所ＩＤ（００１１）における温度履歴を示す図である。図１３（４）は、場所ＩＤ（００１２）における温度履歴を示す図である。図１３（５）は、物品温度履歴作成部２４３が物品１０Ａの温度履歴情報として作成したテーブルの一部を示す図である。図１３（６）は、物品温度履歴作成部２４３が作成したテーブルをもとに物品１０Ａの温度履歴情報をグラフ化したものを示す図である。
【００５１】
場所温度履歴取得部２４２は、テーブル７４Ｔから、搬送履歴取得部２４１が求めた場所ＩＤ（００１０，００１１，００１２）の温度履歴Ｆ１０，Ｆ１１，Ｆ１２（図１３（２）〜（４）参照）を取得する。場所温度履歴取得部２４２は、ステップＳ３２，Ｓ３２において求められた搬送履歴Ｃ−１０Ａをもとに、場所ＩＤ（００１０）については、矢印Ｙ３４−２のように温度履歴Ｆ１０から搬送期間Ｐ２（図１３（１）参照）の温度履歴情報を取得する。同様に、場所温度履歴取得部２４２は、場所ＩＤ（００１１）については、矢印Ｙ３４−４のように温度履歴Ｆ１１から搬送期間Ｐ４（図１３（１）参照）の温度履歴情報を取得し、場所ＩＤ（００１２）については、矢印Ｙ３４−６のように温度履歴Ｆ１２から搬送期間Ｐ６（図１３（１）参照）の温度履歴情報を取得する。物品温度履歴作成部２４３は、矢印Ｙ３４−２〜Ｙ３４−６のように、場所温度履歴取得部２４２がそれぞれ求めた各場所の温度履歴情報を組み合わせ、物品ＩＤ（００００）の物品１０Ａの温度履歴一覧Ｄ−１０Ａ（図１３（５）参照）を作成する。情報処理部２４は、物品温度履歴作成部２４３が作成した物品ＩＤ（００００）の物品１０Ａの温度履歴情報として、テーブル形式の温度履歴一覧Ｄ−１０Ａを、通信処理部２３を介して、端末装置８０に出力する。また、情報処理部２４は、物品１０Ａの温度履歴情報として、温度履歴一覧Ｄ−１０Ａをもとに矢印Ｙ３６のように温度履歴情報をグラフ化した温度履歴画像Ｇ−１０Ａを出力してもよい。
【００５２】
これによって、端末装置８０は、管理装置２０から出力された温度履歴一覧Ｄ−１０Ａ、温度履歴画像Ｇ−１０Ａを出力部８５のディスプレイに表示出力する。端末装置８０のユーザは、ディスプレイに表示された温度履歴一覧Ｄ−１０Ａ、温度履歴画像Ｇ−１０Ａを視認することによって、物品１０Ａの温度履歴を確認することができる。なお、図１４は、場所温度履歴取得部２４２による温度履歴情報の作成処理を説明する図である。場所温度履歴取得部２４２は、図１４（１）に示すテーブル７４Ｔから、搬送期間Ｐ２については場所ＩＤ（００１０）の温度データのみを抽出し（矢印Ｙ３４−２Ａ）、搬送期間Ｐ４については場所ＩＤ（００１１）の温度情報のみを抽出し（矢印Ｙ３４−４Ａ）、搬送期間Ｐ６については場所ＩＤ（００１２）の温度情報のみを抽出し（矢印Ｙ３４−６Ａ）、これらを組み合わせることによって、管理対象物品ＩＤ（００００）の温度履歴一覧Ｄ−１０Ａ（図１４（２）参照）を作成してもよい。
【００５３】
このように、実施の形態１によれば、物品ＩＤを記録しただけのタグ３０を物品１０に付し、管理対象の物品１０に付された物品ＩＤを端末装置８０で読み取り、管理装置２０の情報処理部２４が、読み取った管理対象物品ＩＤに対応させて、物品ＩＤごとの搬送履歴を場所ＩＤと対応づけた搬送履歴情報を記憶する搬送履歴情報ＤＢ７３と、複数の場所の各々における場所温度の時間的な変化を各場所の場所ＩＤと対応づけた場所温度履歴情報を記憶する場所温度履歴情報ＤＢ７４と、に接続して取得した情報をもとに、管理対象の物品１０の温度履歴情報を作成する。したがって、実施の形態１によれば、複雑な構造の無線タグを識別媒体として使用する必要のない簡易な構成で所望の物品の温度履歴情報を取得することができる。
【００５４】
なお、搬送履歴情報ＤＢ７３は、タイムスタンプ、物品ＩＤ、搬入または搬出を示す搬送情報、および、場所ＩＤを対応付けたテーブル７３Ｔに限らず、図１５のテーブル群７３Ｔｇに示すように、物品ＩＤごとに、タイムスタンプ、搬入また搬出を示す搬送情報、および、場所ＩＤを対応付けたテーブル７３Ｔ−１，７３Ｔ−２を設け、物品ＩＤごとに搬送履歴を記憶してもよい。また、場所温度履歴情報ＤＢ７４は、タイムスタンプ、場所ＩＤおよび温度情報を対応付けたテーブル７４Ｔに限らず、図１６のテーブル群７４Ｔｇに示すように、場所ＩＤごとにタイムスタンプおよび温度情報を対応付けたテーブル７４Ｔ−１，７４Ｔ−２を設け、場所ＩＤごとに温度履歴を記憶してもよい。
【００５５】
（実施の形態１の変形例）
実施の形態１の変形例は、物品の搬送時に、物流資材ＩＤを記録するタグが付された物流資材に、物品が積載される場合への適用例である。図１７は、本実施の形態１の変形例にかかる物品温度管理システムの構成の一例を示すブロック図である。
【００５６】
図１７に示すように、実施の形態１の変形例にかかる物品温度管理システム１Ａは、図１に示す管理装置２０に代えて管理装置２０Ａを有する。物品温度管理システム１Ａは、物流資材情報ＤＢ７５と積載履歴情報ＤＢ７６（積載履歴情報記憶部）とをさらに有する。
【００５７】
物流資材情報ＤＢ７５は、物流資材ＩＤと該物流資材ＩＤに対応する物流資材を示す情報とを対応付けたテーブル７５Ｔを記憶する。図１８は、テーブル７５Ｔの一例を示す図である。テーブル７５Ｔには、図１８に示すように、物流資材ＩＤと、該物流資材ＩＤに対応する物流資材の名称とが対応付けられている。
【００５８】
積載履歴情報ＤＢ７６は、物品ＩＤごとに、物品１０が搬送時に積載される物流資材への積載履歴を、物流資材の物流資材ＩＤと対応付けた積載履歴情報を記憶する。積載履歴情報ＤＢ７６は、物品ＩＤと該物品ＩＤに対応する物品が積載または荷卸しされた物流資材の物流資材ＩＤと該物品が該物流資材に積載または荷卸しされた日時を示すタイムスタンプとを対応付けたテーブル７６Ｔを記憶する。図１９は、テーブル７６Ｔの一例を示す図である。テーブル７６Ｔには、図１９に示すように、タイムスタンプと、物品ＩＤと、積載または荷卸しを示す積載情報と、物流資材ＩＤとが対応づけられている。なお、搬送履歴情報ＤＢ７３は、物品ＩＤ欄に、物品ＩＤまたは物流資材ＩＤが記録されたテーブル７３ＴＡを記憶する。
【００５９】
管理装置２０Ａは、制御部２１Ａと情報処理部２４Ａとを有する。制御部２１Ａは、ネットワーク９０を介して接続する各ＤＢ７１〜７６に対する情報の記録を制御する記録制御部２１１Ａを有する。情報処理部２４Ａは、搬送履歴取得部２４１に代えて、搬送履歴取得部２４１Ａを有する。
【００６０】
搬送履歴取得部２４１Ａは、通信処理部２３を介して、積載履歴情報ＤＢ７６から管理対象物品ＩＤの積載履歴情報を取得し、管理対象物品ＩＤに対応する搬送履歴情報を搬送履歴情報ＤＢ７３から取得するとともに、取得した積載履歴情報をもとに管理対象物品ＩＤに対応する物流資材ＩＤの搬送履歴情報を管理対象物品ＩＤに対応する搬送履歴情報とみなして、管理対象の物品１０が搬送された各場所の場所ＩＤと各場所の搬送期間とを求める。
【００６１】
図２０は、物品温度管理システム１Ａにおける管理対象の物品１０の搬送処理の一例を説明する模式図である。図２０の矢印Ｙ４１に示すように、物品１０Ａは、工場Ａのプレハブ冷蔵庫４１−２において、コンテナ１５Ａ（物流資材ＩＤ：００２０）に積載される（積載処理Ｃ０１）。その後、物品１０Ａを積載したコンテナ１５Ａは、プレハブ冷蔵庫４１−２から搬出され、冷蔵トラック４２−１、物流センターＢの荷捌き場４３−１、プレハブ冷蔵庫４３−２に順次搬送される。物品１０Ａは、プレハブ冷蔵庫４３−２において、矢印Ｙ４２のようにコンテナ１５Ａから荷卸しされてから（荷卸し処理Ｃ０２）、矢印Ｙ４３のように別のコンテナ１５Ｂに積載される（積載処理Ｃ０３）。物品１０Ａを積載したコンテナ１５Ｂは、荷捌き場４３−５、冷蔵トラック４４−１、店舗Ｃのプレハブ冷蔵庫４５−１に搬送される。物品１０Ａは、矢印Ｙ４４のようにコンテナ１５Ｂから荷卸しされて（荷卸し処理Ｃ０４）、搬送処理を終了する。各コンテナ１５Ａ，１５Ｂには、タグ３０と同様のタグ３５Ａ，３５Ｂがそれぞれ付されている。タグ３５Ａ，３５Ｂは、コンテナ１５Ａ，１５Ｂを識別する物流資材ＩＤを記録しており、この物流資材ＩＤは、ゲート５１１，５１２，５２１，５２２，５３１，５３２，５４１，５４２と同じ機能を有する読取装置５０Ａ，５０Ｂ，５０Ｃによって読み取り可能である。読取装置５０Ａ，５０Ｂ，５０Ｃは、これらの読取装置が設置される工場Ａ、物流センターＢおよび店舗Ｃのサーバ４０Ａ〜４０Ｃと通信処理を行う。
【００６２】
図２１は、管理装置２０Ａによる積載履歴情報ＤＢ７６への積載情報記録処理の処理手順を示すフローチャートである。物品温度管理システム１Ａでは、コンテナ１５Ａ，１５Ｂへの物品１０Ａの積載処理Ｃ０１，Ｃ０３が行われると、読取装置５０Ａ，５０Ｂによって、物品１０Ａに付されたタグ３０Ａの物品ＩＤと、コンテナ１５Ａ，１５Ｂに付されたタグ３５Ａ，３５Ｂの物流資材ＩＤとが読み取られる。工場Ａおよび物流センターＢのサーバ４０Ａ，４０Ｂは、積載処理Ｃ０１，Ｃ０３時に読取装置５０Ａ，５０Ｂによって読み取られた物品１０Ａの物品ＩＤと、該物品ＩＤを積載したコンテナ１５Ａ，１５Ｂの物流資材ＩＤと、読み取った日時を示す時間情報（積載日時）とを、積載情報として管理装置２０Ａに送信する。管理装置２０Ａでは、通信処理部２３がサーバ４０Ａ，４０Ｂから積載情報を受信すると（ステップＳ４１）、記録制御部２１１Ａは、この積載情報をもとに、物品ＩＤと物流資材ＩＤと積載日時を示すタイムスタンプとを対応付けて、積載情報として積載履歴情報ＤＢ７６のテーブル７６Ｔに記録する（ステップＳ４２）。
【００６３】
図２２は、管理装置２０Ａによる積載履歴情報ＤＢ７６への荷卸し情報記録処理の処理手順を示すフローチャートである。コンテナ１５Ａ，１５Ｂからの物品１０Ａの荷卸し処理Ｃ０２，Ｃ０４が行われるごとに、読取装置５０Ｂ，５０Ｃによって、物品１０Ａに付されたタグ３０Ａの物品ＩＤと、コンテナ１５Ａ，１５Ｂに付されたタグ３５Ａ，３５Ｂの物流資材ＩＤとが読み取られる。物流センターＢおよび店舗Ｃのサーバ４０Ｂ，４０Ｃは、コンテナ１５Ａ，１５Ｂからの物品１０Ａの荷卸し処理Ｃ０２，Ｃ０４時に読取装置５０Ｂ，５０Ｃによって読み取られた物品１０Ａの物品ＩＤと、該物品ＩＤが荷卸しされたコンテナ１５Ａ，１５Ｂの物流資材ＩＤと、読み取った日時を示す時間情報（荷卸し日時）とを荷卸し情報として管理装置２０Ａに送信する。管理装置２０Ａでは、通信処理部２３がサーバ４０Ｂ，４０Ｃから荷卸し情報を受信すると（ステップＳ４３）、記録制御部２１１Ａは、この荷卸し情報をもとに、物品ＩＤと物流資材ＩＤと荷卸し日時を示すタイムスタンプとを対応付けて荷卸し情報として積載履歴情報ＤＢ７６のテーブル７６Ｔに記録する（ステップＳ４４）。
【００６４】
図２３は、管理装置２０Ａの情報処理部２４Ａによる物品の温度履歴情報作成処理の処理手順を示すフローチャートである。図２３に示すステップＳ５１は、図１０のステップＳ３１である。搬送履歴取得部２４１Ａは、通信処理部２３を介して、管理対象物品ＩＤに紐付く積載履歴を積載履歴情報ＤＢ７６のテーブル７６Ｔから取得する（ステップＳ５２）。搬送履歴取得部２４１Ａは、ステップＳ５２において取得した積載履歴から、各積載期間と、各積載期間に対応する物流資材ＩＤとを取得する（ステップＳ５３）。搬送履歴取得部２４１Ａは、通信処理部２３を介して、管理対象物品ＩＤに紐付く搬送履歴を搬送履歴情報ＤＢ７３のテーブル７３ＴＡから取得する（ステップＳ５４）。続いて、搬送履歴取得部２４１Ａは、通信処理部２３を介して、ステップＳ５３において取得した物流資材ＩＤに紐付く搬送履歴を搬送履歴情報ＤＢ７３のテーブル７３ＴＡから取得する（ステップＳ５５）。搬送履歴取得部２４１Ａは、ステップＳ５５において取得した物流資材ＩＤに紐付く搬送履歴を管理対象物品ＩＤの搬送履歴として置換する（ステップＳ５６）。搬送履歴取得部２４１Ａは、ステップＳ５４において取得した管理対象物品ＩＤの搬送履歴、および、ステップＳ５６における置換後の搬送履歴から、該管理対象物品ＩＤに対応する物品１０Ａが搬送された各搬送場所の場所ＩＤと搬送期間とを取得する（ステップＳ５７）。ステップＳ５８〜ステップＳ６０は、ステップＳ３４〜Ｓ３６である。
【００６５】
図２４は、温度履歴作成対象の物品の物流資材への積載履歴の一例を示す図である。場所ＩＤ（００１０）に対応する場所で、管理対象の物品１０Ａ（物品ＩＤ：００００）がコンテナ１５Ａ（物流資材ＩＤ：００２０）に積載され、場所ＩＤ（００１１）および場所ＩＤ（００１２）に搬送後の積載期間Ｐ１２（図２４参照）経過時に、場所ＩＤ（００１２）においてコンテナ１５Ａから荷卸しされる場合を例に図２３の処理内容を説明する。
【００６６】
図２５は、図１７に示す搬送履歴取得部２４１Ａによる管理対象物品ＩＤの搬送履歴の取得処理を説明する図である。搬送履歴取得部２４１Ａは、ステップＳ５２において、図２５の矢印Ｙ５２−１０Ｂのように、テーブル７６Ｔ（図２５（１）参照）から、管理対象物品ＩＤ（００００）に紐付く積載履歴７６ＴＡ（図２５（２））を取得する。これをもとに、ステップＳ５３において、搬送履歴取得部２４１Ａは、矢印Ｙ５３−１０Ｂのように、各積載期間と、各積載期間に対応する物流資材ＩＤとを求めることができる。続いて、搬送履歴取得部２４１Ａは、ステップＳ５４において、図２５の矢印Ｙ５４−１０Ｂのように、管理対象物品ＩＤ（００００）に紐付く搬送履歴をテーブル７３ＴＡ（図２５（３）参照）から取得する。さらに、搬送履歴取得部２４１Ａは、ステップＳ５５において、図２５の矢印Ｙ５５−１０Ｂのように、物流資材ＩＤ（００２０）に紐付く搬送履歴を、テーブル７３ＴＡ（領域Ａ５５）から取得する。搬送履歴取得部２４１Ａは、ステップＳ５６において、取得した物流資材ＩＤ（００２０）に紐付く領域Ａ５６（図２５（４）参照）の搬送履歴を管理対象物品ＩＤ（００００）の搬送履歴として置換する。そして、搬送履歴取得部２４１Ａは、置換後の搬送履歴と、ステップＳ５４において取得した管理対象物品ＩＤ（００００）の搬送履歴とを合わせて、管理対象物品ＩＤ（００００）の搬送履歴７３−１０Ｂを作成する。搬送履歴取得部２４１Ａは、ステップＳ５７において、この管理対象物品ＩＤの搬送履歴７３−１０Ｂをもとに、矢印Ｙ５７−２，Ｙ５７−４，Ｙ５７−６のように、管理対象物品ＩＤ（００００）の各搬送場所の場所ＩＤと搬送期間とを求める。
【００６７】
このように、物流資材に物品を積載した場合であっても、複数の物品を積載する物流資材の搬送履歴を記録すれば、図２３の各処理を行うことによって、物流資材の搬送履歴から該物流資材に積載された各物品の搬送履歴を求めることができる。したがって、実施の形態１の変形例では、物流資材への積載期間については、物品ごとに搬送履歴を記録する必要がなくなり、搬送履歴情報ＤＢ７３内に記憶される情報量を少なくすることができる。
【００６８】
なお、積載履歴情報ＤＢ７６は、タイムスタンプ、物品ＩＤ、積載または荷卸しを示す積載情報、および、物流資材ＩＤを対応付けたテーブル７６Ｔに限らず、図２６のテーブル群７６Ｔｇに示すように、物品ＩＤごとに、タイムスタンプ、積載・荷卸しを示す積載情報、および、物流資材ＩＤを対応付けたテーブル７６Ｔ−１，７６Ｔ−２を設け、物品ＩＤごとに積載履歴を記憶してもよい。また、積載履歴情報ＤＢ７６に記憶されるテーブルとして、物流資材の物流資材ＩＤに、該物流資材に積載された物品の物品ＩＤを紐づけする例について説明したが、物流資材の代わりに、物品を搬送するユーザ（人）、複数の物品に付される伝票、情報端末にそれぞれＩＤを付与して、これらのＩＤに、対応する複数の物品の物品ＩＤを紐づけてもよい。
【００６９】
（実施の形態２）
次に、実施の形態２について説明する。図２７は、本実施の形態２にかかる物品温度管理システムの構成の一例を示すブロック図である。
【００７０】
図２７に示すように、実施の形態２にかかる物品温度管理システム２０１は、図１に示す管理装置２０に代えて、情報処理部２２４を有する管理装置２２０を備える。
【００７１】
情報処理部２２４は、図１の情報処理部２４と比して、さらに、温度異常検出部２２４４（異常検出部）を備える。前述したように、物品情報ＤＢ７１のテーブル７１Ｔには、物品ＩＤと、該物品ＩＤを記録するタグ３０が付された物品１０の名称とともに、この物品１０の保存方法と、この物品１０の保存温度範囲とが対応付けられている。温度異常検出部２２４４は、通信処理部２３を介して、物品情報ＤＢ７１のテーブル７１Ｔから管理対象物品ＩＤに対応する保存温度範囲を取得し、物品温度履歴作成部２４３によって作成された管理対象物品の温度履歴情報をもとに、管理対象の物品１０の温度が、取得した保存温度範囲を超えている場合には、該管理対象の物品１０に温度異常があったことを検出する。通信処理部２３は、温度異常検出部２２４４による温度異常検出結果を管理対象物品の温度履歴情報とともに、ネットワーク９０を介して端末装置８０に出力する。
【００７２】
図２８は、管理装置２２０の情報処理部２２４による物品の温度履歴情報作成処理の処理手順を示すフローチャートである。図２８に示すステップＳ７１〜Ｓ７５は、図１０に示すステップＳ３１〜Ｓ３５である。
【００７３】
温度異常検出部２２４４は、通信処理部２３を介して、物品情報ＤＢ７１のテーブル７１Ｔを参照し、テーブル７１Ｔから管理対象物品ＩＤに紐付く保存温度範囲を取得する（ステップＳ７６）。温度異常検出部２２４４は、物品温度履歴作成部２４３によって作成された管理対象物品の温度履歴情報をもとに、管理対象物品の温度が、取得した保存温度範囲内であるか否かを判断する（ステップＳ７７）。温度異常検出部２２４４が、管理対象物品の温度が、取得した保存温度範囲内であると判断した場合（ステップＳ７７：Ｙｅｓ）、情報処理部２２４は、ステップＳ３６と同様の処理を行って、管理対象の物品１０の温度履歴情報を端末装置８０に出力する（ステップＳ８０）。
【００７４】
これに対し、温度異常検出部２２４４は、管理対象物品の温度が、取得した保存温度範囲内でないと判断した場合（ステップＳ７７：Ｎｏ）、すなわち、管理対象の物品１０の温度が、取得した保存温度範囲を超えている場合には、該管理対象の物品１０に温度異常があったことを検出する（ステップＳ７８）。情報処理部２２４は、管理対象物品の温度履歴情報とともに、該物品に温度異常があったことを示すアラーム情報を、通信処理部２３およびネットワーク９０を介して、端末装置８０に出力する（ステップＳ７９）。この結果、端末装置８０には、物品ＩＤを読み取った物品１０の温度履歴情報とともに、この物品１０に温度異常があったことを示すアラーム情報が表示出力される。
【００７５】
したがって、端末装置８０のユーザは、このアラーム情報を視認することによって、物品ＩＤを読み取った物品１０に温度異常があったことを迅速に認識することができ、物品の温度状態をさらに容易に把握することができる。
【００７６】
（実施の形態３）
次に、実施の形態３について説明する。図２９は、本実施の形態３にかかる物品温度管理システムの構成の一例を示すブロック図である。
【００７７】
図２９に示すように、実施の形態３にかかる物品温度管理システム３０１は、図１に示す管理装置２０に代えて、情報処理部３２４を有する管理装置３２０を備える。
【００７８】
情報処理部３２４は、図２７の情報処理部２２４と比して、さらに、異常物品抽出部３２４５を備える。前述したように、場所情報ＤＢ７２のテーブル７２Ｔには、場所ＩＤと該場所ＩＤに対応する場所の管理温度範囲とが対応付けられている。異常物品抽出部３２４５は、温度異常検出部２２４４によって管理対象の物品１０に温度異常があったことが検出された場合、温度異常があった他の物品の物品ＩＤも抽出する。異常物品抽出部３２４５は、該抽出した物品ＩＤを、温度異常があった物品の物品ＩＤとして、管理対象の物品１０の温度履歴情報と温度異常検出部２２４４による温度異常検出結果とともに、ネットワーク９０を介して端末装置８０に出力する。
【００７９】
図３０は、管理装置３２０の情報処理部３２４による物品の温度履歴情報作成処理の処理手順を示すフローチャートである。図３０に示すステップＳ８１〜Ｓ８５は、図１０に示すステップＳ３１〜Ｓ３５である。図３０に示すステップＳ８６、ステップＳ８７およびステップＳ９４は、図２８のステップＳ７６、ステップＳ７７およびステップＳ８０である。図３１は、温度履歴作成対象の物品（物品ＩＤ：００００）の温度が正常である場合の温度履歴情報の一例を示す図である。温度異常検出部２２４４は、図３１に示すように、物品情報ＤＢ７１のテーブル７１Ｔを参照して、物品ＩＤ（００００）の保存温度範囲Ｒａを取得する（ステップＳ８６）。そして、温度異常検出部２２４４が、この物品の温度が保存温度範囲Ｒａ内であると判断した場合には（ステップＳ８７：Ｙｅｓ）、この物品の温度は正常であると判断し、情報処理部３２４は、通信処理部２３を介して、この物品１０の温度履歴情報を端末装置８０に出力する（ステップＳ９４）。
【００８０】
これに対し、異常物品抽出部３２４５は、温度異常検出部２２４４によって、物品の温度が保存温度範囲Ｒａ内でなく（ステップＳ８７：Ｎｏ）、管理対象の物品１０に温度異常があったことが検出された場合（ステップＳ８８）、物品温度履歴作成部２４３によって作成された管理対象の物品１０の温度履歴情報と搬送履歴情報ＤＢ７３のテーブル７３Ｔとから温度異常を検出した搬送場所の場所ＩＤである異常場所ＩＤを取得する（ステップＳ８９）。図３２（１）は、温度履歴作成対象の物品（物品ＩＤ：００００）の温度に異常がある場合の温度履歴情報の一例を示す図である。図３２（１）に示すように、温度異常検出部２２４４が、物品ＩＤ（００００）の温度が、保存温度範囲Ｒａを超えていると判断し（ステップＳ８７：Ｎｏ）、矢印Ｙ８８のように、この物品の温度に異常があると判断した場合（ステップＳ８８）、異常物品抽出部３２４５は、物品温度履歴作成部２４３による物品ＩＤ（００００）の温度履歴情報と搬送履歴情報ＤＢ７３のテーブル７３Ｔとから矢印Ｙ８９のように温度異常を検出した場所の異常場所ＩＤ（００１１）を取得する（ステップＳ８９）。
【００８１】
異常物品抽出部３２４５は、通信処理部２３を介して、場所情報ＤＢ７２のテーブル７２Ｔを参照し、異常場所ＩＤに対応する管理温度範囲をテーブル７２Ｔから取得する（ステップＳ９０）。続いて、異常物品抽出部３２４５は、場所温度履歴情報ＤＢ７４のテーブル７４Ｔを参照し、異常場所ＩＤに紐付く温度履歴情報のうち管理温度範囲外である期間を特定する（ステップＳ９１）。
【００８２】
図３２（２）を参照して、ステップＳ９０およびステップＳ９１の処理を具体的に説明する。図３２（２）は、場所ＩＤ（００１１）の場所温度履歴情報の一例を示す図である。図３２（２）の矢印Ｙ９０のように、異常物品抽出部３２４５は、場所情報ＤＢ７２のテーブル７２Ｔから、異常場所ＩＤ（００１１）の管理温度範囲Ｒｐを取得する（ステップＳ９０）。続いて、異常物品抽出部３２４５は、場所温度履歴情報ＤＢ７４のテーブル７４Ｔを参照し、矢印Ｙ９１のように、異常場所ＩＤ（００１１）に紐付く温度履歴情報のうち管理温度範囲Ｒｐ外である場所温度異常期間Ｐｅを特定する（ステップＳ９１）。
【００８３】
異常物品抽出部３２４５は、ステップＳ９１において特定した管理温度範囲外である期間中に異常場所ＩＤに対応する場所に搬送された物品の物品ＩＤを、搬送履歴情報ＤＢ７３のテーブル７３Ｔから、温度異常があった物品の物品ＩＤとして抽出する（ステップＳ９２）。情報処理部３２４は、温度異常検出部２２４４による温度異常検出結果と、異常物品抽出部３２４５によって抽出された温度異常があった物品の物品ＩＤとをアラーム情報として、管理対象の物品１０の温度履歴情報とともに、通信処理部２３とネットワーク９０とを介して端末装置８０に出力する（ステップＳ９３）。
【００８４】
ステップＳ９２では、異常物品抽出部３２４５は、図３２（３）のテーブル７３Ｔを参照し、矢印Ｙ９２のように、場所温度異常期間Ｐｅに異常場所ＩＤ（００１１）に搬入または搬出された物品の物品ＩＤ（０００１），（０００４），（０００５），（０００６）を抽出する。そして、情報処理部３２４は、異常物品抽出部３２４５が抽出した物品ＩＤ（０００１），（０００４），（０００５），（０００６）を、管理対象物品ＩＤ（００００）の物品と同様に温度異常があった類似物品の物品ＩＤとして端末装置８０に出力する。この結果、端末装置８０には、物品ＩＤを読み取った物品１０の温度履歴情報と、この物品に温度異常があったことを示すとともに、この物品の他に温度異常があった類似物品の物品ＩＤを示すアラーム情報と、が表示出力される。
【００８５】
したがって、端末装置８０のユーザは、このアラーム情報を視認することによって、物品ＩＤを読み取った物品１０に温度異常があったことに加え、温度異常があった他の物品も迅速に特定することができる。このため、実施の形態３によれば、物品の温度管理のさらなる容易化を図ることができる。
【００８６】
なお、実施の形態３は、実施の形態１の変形例１についても適用できる。この場合には、図３３の物品温度管理システム３０１Ａに示すように、図１７の管理装置２０Ａに代えて、温度異常検出部２２４４と異常物品抽出部３２４５Ａとを有する情報処理部３２４Ａを備えた管理装置３２０Ａを用いる。この場合、異常物品抽出部３２４５Ａは、制御部２１Ａの制御のもと、図３０のステップＳ９２において、管理温度範囲外である温度異常検出期間中に異常場所ＩＤに対応する場所を通過した物品の物品ＩＤに加え、この管理対象物品ＩＤの物品が積載されていた物流資材の物流資材ＩＤを取得し、温度異常検出期間中に該物流資材ＩＤに積載されていた物品の物品ＩＤも、温度異常があった物品の物品ＩＤとして抽出する。もちろん、実施の形態２も実施の形態１の変形例１に適用可能である。
【００８７】
また、実施の形態１〜３においては、管理装置に物品の温度履歴を作成する情報処理部を設け、管理装置で温度履歴を作成する場合を例に説明したが、これに限らない。たとえば、図３４の物品温度管理システム１Ｂのように、管理装置２０Ｂではなく、ユーザが操作する端末装置８０Ｂに情報処理部２４を設けてもよい。この場合、端末装置８０Ｂでは、通信処理部８４が、ネットワーク９０を介して各ＤＢに接続して各情報を取得し、情報処理部２４が、制御部８１Ｂの制御のもと、物品ＩＤを読み取った物品の温度履歴を作成する。
【００８８】
また、実施の形態１〜３では、各サーバ４１Ｓ〜４４Ｓは、管理装置２０，２０Ａ，２０Ｂ，２２０，３２０，３２０Ａの通信処理部２３からの要求により、温度センサ６１〜６４によって蓄積された場所温度の情報のうち通信処理部２３からの要求に該当する温度情報を通信処理部２３に送信してもよい。あるいは、管理装置２０の通信処理部２３からの要求により、各サーバ４１Ｓ〜４４Ｓ経由で、温度センサ６１〜６４は、温度を測定し、測定した温度を管理装置２０の通信処理部２３に送信してもよい。さらに、温度センサ６１〜６４の機器が、ネットワーク９０を介した通信機能をもっている場合、各サーバ４１Ｓ〜４４Ｓを経由せずに管理装置２０の通信処理部２３と直接送受信することも可能である。
【００８９】
また、本実施の形態にかかる管理装置２０，２０Ａ，２２０，３２０，３２０Ａまたは端末装置８０Ｂで実行される各処理に対する実行プログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよく、インターネット等のネットワークに接続されたコンピュータ上に格納し、ネットワーク経由でダウンロードさせることにより提供するように構成してもよい。また、インターネット等のネットワーク経由で提供または配布するように構成してもよい。
【符号の説明】
【００９０】
１，１Ａ，１Ｂ，２０１，３０１，３０１Ａ  物品温度管理システム
１０，１０Ａ  物品
２０，２０Ａ，２０Ｂ，２２０，３２０，３２０Ａ、  管理装置
２１，２１Ａ，８１，８１Ｂ  制御部
２２，８３  入力部
２３，８４  通信処理部
２４，２４Ａ，２２４，３２４，３２４Ａ  情報処理部
２５，８５  出力部
２６  記憶部
３０，３０Ａ  タグ
４１〜４４  場所
４０Ａ〜４０Ｃ，４１Ｓ〜４４Ｓ  サーバ
６１〜６４，６１−１〜６５−３  温度センサ
７１  物品情報ＤＢ
７２  場所情報ＤＢ
７３  搬送履歴情報ＤＢ
７４  場所温度履歴情報ＤＢ
７５  物流資材情報ＤＢ
７６  積載履歴情報ＤＢ
８０  端末装置
８２  読取部
８６  メモリ
９０  ネットワーク
２１１，２１１Ａ  記録制御部
２４１，２４１Ａ  搬送履歴取得部
２４２  場所温度履歴取得部
２４３  物品温度履歴作成部
２２４４  温度異常検出部
３２４５，３２４５Ａ  異常物品抽出部
５１１，５１２，５２１，５２２，５３１，５３２，５４１，５４２  ゲート
【図１】
2015202918.tif 000003
【図２】
2015202918.tif 000004
【図３】
2015202918.tif 000005
【図４】
2015202918.tif 000006
【図５】
2015202918.tif 000007
【図６】
2015202918.tif 000008
【図７】
2015202918.tif 000009
【図８】
2015202918.tif 000010
【図９】
2015202918.tif 000011
【図１０】
2015202918.tif 000012
【図１１】
2015202918.tif 000013
【図１２】
2015202918.tif 000014
【図１３】
2015202918.tif 000015
【図１４】
2015202918.tif 000016
【図１５】
2015202918.tif 000017
【図１６】
2015202918.tif 000018
【図１７】
2015202918.tif 000019
【図１８】
2015202918.tif 000020
【図１９】
2015202918.tif 000021
【図２０】
2015202918.tif 000022
【図２１】
2015202918.tif 000023
【図２２】
2015202918.tif 000024
【図２３】
2015202918.tif 000025
【図２４】
2015202918.tif 000026
【図２５】
2015202918.tif 000027
【図２６】
2015202918.tif 000028
【図２７】
2015202918.tif 000029
【図２８】
2015202918.tif 000030
【図２９】
2015202918.tif 000031
【図３０】
2015202918.tif 000032
【図３１】
2015202918.tif 000033
【図３２】
2015202918.tif 000034
【図３３】
2015202918.tif 000035
【図３４】
2015202918.tif 000036